(57)【要約】本発明のペーパーホルダは、ペーパーロールを着脱自在かつ回転自在に支持でき、ペーパーの切断された先端部分は、正面側の前端部が三角形状であるペーパー支持板の三角形状の端縁部から下方に垂れ下がっている。ペーパーホルダの操作レバーを正面側に傾倒させると、ペーパー支持板がカバー部材の先端よりも前進し、ペーパー支持板はその三角形状の端縁部から下方に垂れ下がっているペーパーの先端部分を、ペーパー整形部材と協動してペーパー支持板の三角形状の端縁部に沿ってその裏側に折り込み、三角形状に折り畳まれたペーパーの先端部分をカバー部材から露出させる。操作レバーが背面方向に戻ると、ペーパー支持板も背面側に移動し、三角形状に折り畳まれたペーパー先端部分だけが、カバー部材の先端から突出した状態で残される。  本発明のペーパーホルダは、簡単な構造で確実にペーパーの端縁部を三角形状に折り畳め、ペーパーの三角形状の先端部分をペーパーホルダから突出させることができる。
2004086926.tif 000002
【特許請求の範囲】
【請求項１】
ペーパーロールを回転自在に支持するペーパーホルダにおいて、
前記ペーパーロールから引き出されたペーパーを支持し、三角形状の前端部を有するペーパー支持部材と、
前記ペーパー支持部材を移動させる操作レバーと、
前記ペーパーロールから引き出されるペーパーを切断したときに、ペーパーの切断端縁部が前記ペーパー支持部材の三角形状の前記前端部から垂れ下がる位置に備えられているペーパーカッタと、
前記操作レバーを操作するときに、前記ペーパー支持部材の三角形状の前端部から垂れ下がっているペーパーの前記切断端縁部を、前記ペーパー支持部材と協働して前記ペーパー支持部材の裏面に沿って折り畳む摩擦部材と、
を備えていることを特徴とするペーパーホルダ。
【請求項２】
請求項１において、
前記ペーパー支持部材の上方に位置にペーパー押圧部材を設け、該ペーパー押圧部材は前記操作レバーに取り付けられ、前記操作レバーを操作する際に下方に押圧操作され、前記ペーパーを前記ペーパー支持部材の上面に押し付けることを特徴とするペーパーホルダ。
【請求項３】
請求項２において、
前記ペーパー押圧部材は、昇降自在で、かつ回転自在なローラであることを特徴とするペーパーホルダ。
【請求項４】
ペーパーロールを回転自在に支持するペーパーホルダにおいて、
前記ペーパーロールから引き出されたペーパーを支持し、三角形状の前端部を有するペーパー支持部材と、
操作レバーと、
該操作レバーを操作すると、切断されたペーパーの切断端縁部を、前記ペーパー支持部材の三角形状の前端部から垂れ下がらせるペーパー垂下部材と、
前記操作レバーを操作すると、該操作レバーに係合して、前記ペーパー垂下部材が元の位置に戻った後に、前記ペーパー支持部材を移動させる時間差移動機構と、
前記操作レバーを操作すると、前記ペーパー支持部材の三角形状の前端部から垂れ下がっているペーパーの切断端縁部を、前記ペーパー支持部材と協働して前記ペーパー支持部材の裏面に沿って折り畳む摩擦部材と、
を備えることを特徴とするペーパーホルダ。
【請求項５】
請求項１又は請求項４において、
前記摩擦部材は、前記ペーパー支持部材の三角形状の前記前端部と協働するＶ状凹部を備えることを特徴とするペーパーホルダ。
【請求項６】
請求項１又は請求項４において、
前記ペーパーに対する前記摩擦部材の摩擦抵抗は、前記ペーパー支持部材に比べて大きいことを特徴とするペーパーホルダ。
【請求項７】
請求項１又は請求項４において、
前記摩擦部材は、ペーパーと接する面に、弾性部材、塗料、テープのうちの少なくとも一つを有していることを特徴とするペーパーホルダ。
【請求項８】
請求項１又は請求項４において、
前記ペーパー支持部材のペーパーと接する面は、前記摩擦部材のペーパーと接する面に比べて、滑り易くなっていることを特徴とするペーパーホルダ。
【請求項９】
請求項１又は請求項４において、
スイッチボタンと、
該スイッチボタンを押すことによって、オン、オフする電動モータとを備え、
該電動モータの駆動によって、前記操作レバーが操作されることを特徴とするペーパーホルダ。
【請求項１０】
請求項４において、
前記操作レバーに係合して回転するカムと、
該カムに係合して回転運動するアーム部材とを備え、
前記ペーパー支持部材は前記補助レバーに固定され、
前記ペーパー垂下部材は前記アーム部材に支承され、
前記操作レバーは、先ず前記カムに係合し、その後で前記補助レバーに係合することを特徴とするペーパーホルダ。
【請求項１１】
請求項１０において、
前記アーム部材のスプリング部材、前記カムのスプリングの引っ張り力によって、前記カムと前記アーム部材が元の位置に戻るときに発生する騒音や寿命の低下を防ぐための緩衝材を備えることを特徴とするペーパーホルダ。
【請求項１２】
請求項４において、
前記時間差移動機構は、前記操作レバーの動作の途中で、該操作レバーに係合する補助レバーであることを特徴とするペーパーホルダ。
【請求項１３】
請求項４において、
前記操作レバーが操作されると、先ずペーパー垂下部材が下降運動と上昇運動を行い、その後で前記ペーパー支持部材が前進することを特徴とするペーパーホルダ。
【請求項１４】
請求項１３において、
前記ペーパー垂下部材は、前記操作レバーの操作に連動して上下運動するバーであることを特徴とするペーパーホルダ。
【請求項１５】
請求項４において、
開閉可能なカバー部材を有し、該カバー部材の内側に、前記ペーパー支持部材上にペーパーを押し付けるペーパー押圧部材を備えていることを特徴とするペーパーホルダ。
【請求項１６】
請求項１５において、
前記ペーパー支持部材と前記カバー部材との間に、前記側板間を延びるペーパー角度均一化部材を備え、該ペーパー角度均一化部材の上側を通って、ペーパーが前記ペーパー支持部材上に引き出されることを特徴とするペーパーホルダ。
【発明の詳細な説明】
【技術分野】  本発明は、ペーパーロールから引き出されたトイレットペーパーなどの切断端縁部を三角形状に折り畳む機構を有するペーパーホルダに関する。
【背景技術】  従来よりホテルなどの接客業にあっては、客へのサービスの一環として、トイレットペーパーホルダに装着されているトイットペーパーの切断端縁部を三角形状に折り畳むようにしている。現在では、従業員の手で行われているが、これを機械的に行う折り畳み機構を備えるトイレットペーパーホルダも提案されている（例えば、特許文献１、特許文献２参照）。
特許文献１により提案されたペーパーホルダでは、切断操作レバーの操作によって刃体を下降させてペーパーを切断する。このとき、ペーパーの切断端縁部が引っ掛け体に係止される。切断操作レバーが原位置に戻るときに、引っ掛け体がペーパーの切断端縁部を係止したまま引き出す。この引き出し時に、ペーパーの切断端縁部が、左右両側部分が裏側へ折り畳まれる。ペーパーの切断と切断端縁部の折り畳みとを連続して機械的に行うところに特徴がある。
特許文献２により提案されたペーパーホルダでは、ペーパーの端縁部を上蓋と前縁部が三角形状にとがったプレートとの間にローラを介して支持する。プレートに取り付けた伝動ベルトでペーパーに端部を正面側に送り出す。このときに、上蓋の内側面に固定されたハの字状突起とプレートの三角形状の前縁部とで、ペーパー端縁部の左右両側部分を裏側へ少し折り曲げる。引き続き、ペーパー端縁部が上面に刃を備えた支持棒の上を接触しながら通過する。これにより、ペーパー端縁部が三角形状に折り畳まれてペーパーホルダの正面側に露出する。電動モータでペーパー端縁部を送り出すことが特徴の一つである。
特許文献１で提案されたペーパーホルダの場合には、切断操作レバーが原位置へ復帰する動作に連動して引っ掛け体が回転しなければならない。この動作に必要な連動機構のために、構造が複雑になり、この複雑な構造が故障の原因となり、コストのアップの要因となる。また、引っ掛け体によるペーパーの引出しは、ペーパーの状態でペーパーが引っ掛け体に係止されないことがあるので、確実性に欠ける。
特許文献２で提案されたペーパーホルダの場合には、切断した後のペーパー端縁部を次の使用のために折り畳むには、そのペーパー端縁部をハの字状突起の奥側（背面側）まで戻す操作が必要であり、動作が複雑になるので、確実性に欠けるという問題がある。また、薄いトイレットペーパーを利用者が引き出すのに比べて、機械的に送り出すのは難しい面があり、このことが確実性をより悪くしている。
【特許文献１】特開平９−２５３００１号公報
【特許文献２】特開２０００−２１０２２６号公報
【発明の開示】
本発明は、ペーパーの端縁部を三角形状に折り畳めるペーパーホルダにおいて、簡単な構造で確実に折り畳みを行える機構を有するペーパーホルダを提供することを目的としている。
このペーパーホルダは、連続する長いペーパーのペーパーロールを着脱自在、かつ回転自在に支持することができ、ペーパーの切断された先端部分は、正面側の前端部が三角形状になっているペーパー支持部材の三角形状の前端部から垂れ下がっている。
このペーパーホルダの操作レバーのグリップを掴んで正面側（手前側）に傾倒動作させる。その操作レバーの正面側への傾倒動作に伴って、前記ペーパー支持部材が正面側へ前進する。
前記ペーパー支持部材がカバー部材の先端よりも前進するのに伴い、前記ペーパー支持部材はその三角形状の前端部から垂れ下がっているペーパーの前記切断端縁部を、摩擦部材と協働して前記ペーパー支持部材の三角形状の前端部に沿って、そのペーパー支持部材の裏側に折り込み、三角形状に折り畳まれたペーパーの先端部分を前記カバー部材から露出させる。
操作レバーが背面方向に戻ることにより、前記ペーパー支持部材も背面側に移動し、三角形状に折り畳まれたペーパー先端部だけが、カバー部材の先端から突出した状態で残される。
ペーパーカッタによって切断されたペーパーの切断端縁部が前記ペーパー支持板の三角形状の前端部から下方に垂れ下がる位置に、前記ペーパーカッタを設ける。又は、前記操作レバーが正面側に操作されるときに下降運動と上昇運動を行い、切断されたペーパーの切断端縁部を前記ペーパー支持部材の三角形状の前端部から下方に垂れ下がらせるペーパー垂下部材を設ける。
【図面の簡単な説明】  図１は、本発明の１実施例を示すペーパーホルダ１の側面図である。
１０：ペーパーロール
１１：ペーパー
１２：切断端縁部
２０：ホルダ本体
３０：操作レバー
３４：スプリング
４０：ペーパーカッタ
５０：摩擦部材
６０：ペーパー支持部材
７０：ペーパー押圧部材
図２は、ペーパーホルダ１の正面図（部分断面図）である。
図３は、ペーパーホルダ１の平面図である。
図４は、ペーパーホルダ１の底面図である。
図５は、ペーパーホルダ１に使用されている操作レバーの４面図であり、（ａ）は平面図、（ｂ）は正面図、（ｃ）は左側面図、（ｄ）は底面図である。
図６は、ペーパーホルダ１に使用されている摩擦部材の他方の棒体の５面図であり、（ａ）は平面図、（ｂ）は正面図、（ｃ）は左側面図、（ｄ）は右側面図、（ｅ）は底面図である。
図７は、ペーパーホルダ１に使用されている摩擦部材の一方の棒体の５面図であり、（ａ）は平面図、（ｂ）は正面図、（ｃ）は左側面図、（ｄ）は右側面図、（ｅ）は底面図である。
図８（ａ）〜（ｃ）は、ペーパーホルダ１のペーパー折り畳み動作を説明するための縦断側面図である。
図９は、本発明の第２の実施例であるペーパーホルダ１００の斜視図である。
１１０：ペーパーロール
１１１：ペーパー
１３０：操作レバー
１２１：側板
１４０：ペーパーカッタ
１５０：摩擦部材
１５３：Ｖ状凹部
１５５：弾性体
１５７：弾性体
１６０：ペーパー支持部材
１７０：ペーパー押圧部材
１８０：ペーパー垂下部材
１９０：ペーパー角度均一化部材
２１０：カバー部材
２１１：バネ部
図１０（ａ）〜（ｃ）は、ペーパーホルダ１００のペーパーの折り畳み動作を説明するための図である。
図１１は、ペーパーの折り畳み動作の動作のタイミングを示す図であり、（ａ）は操作レバーの動作タイミングを示し、（ｂ）はペーパー垂下部材の動作タイミングを示し、（ｃ）はペーパー支持部材の動作タイミングを示す。
図１２は、操作レバー側の側板を外し、操作レバーが原位置にある状態を示す図である。
図１３は、操作レバー側の側板を外し、操作レバーが最も手前に傾倒動作している状態を示す図である。
図１４（ａ）〜（ｃ）は、操作レバーの傾倒動作に関連するカム、アーム部材、ペーパー垂下バーの位置を説明するための図であり、（ａ）は操作レバー１３０が原位置にある状態、（ｂ）は操作レバー１３０が少しだけ手前に前進した状態、（ｃ）は操作レバー１３０が更に手前に前進した状態を示す図である。
図１５は、ペーパーホルダ１００に使用されている摩擦部材１５０の３面図であり、（ａ）は平面図、（ｂ）は正面図、（ｃ）は側面図である。
【発明を実施するための最良の形態】  本発明の第１の実施例であるペーパーホルダ１は、図１〜図４に示すように、トイレットペーパーのペーパーロール１０を着脱可能に支持するホルダ本体２０と、ホルダ本体２０に装着されたペーパーロール１０からのペーパー１１の送り出しと同時にそのペーパー１１の折り畳みを行うためにホルダ本体２０に取り付けられた操作レバー３０と、前記ペーパー１１の切断を行うためにホルダ本体２０に取り付けられたペーパーカッタ４０と、操作レバー３０と協働して前記ペーパー１１の折り畳みを行うためにホルダ本体２０に取り付けられた摩擦部材５０と、ペーパー１１を上面で支持するペーパー支持部材６０と、ペーパー１１をペーパー支持部材６０に軽く押し付けるペーパー押圧部材７０とを備えている。
ホルダ本体２０は、両側の側板２１、２１と、側板２１、２１を後方で連結する連結部材２２と、側板２１、２１に取り付けられた保持部材２３、２３とを有している。連結部材２２は、ホルダ本体２０を壁面に取り付けるためのベース部材を兼ねている。保持部材２３、２３は基部を中心にして上方へ傾倒する可動構造であり、側板２１、２１の各内面から内側に突き出した状態でペーパーロール１０を回転自在に支持する。保持部材２３、２３を上方に傾倒させて、側板２１、２１の各内面に設けられた凹部２４、２４へ嵌入することによって、新品のペーパーロール１０の下方からの装着と使用済みのペーパーロールの芯体（図示せず）の取り外しを可能にする。
操作レバー３０は、図５（ａ）〜（ｄ）に示すように、ホルダ本体２０を跨ぐ水平なグリップ３１と、グリップ３１の両端部から下方に延びる一対のアーム３２、３２とを有している。アーム３２、３２は、上端部を除いてホルダ本体２０の両側の側板２１、２１内に収容されており、側板２１、２１内で下端部が軸３３、３３により回動自在に支持されている。そして、アーム３２、３２を後方へ弾性的に引っ張るスプリング３４、３４によって、操作レバー３０は正面側、つまり手前側へ傾倒可能な状態でほぼ垂直な原位置に弾性保持される。
また、操作レバー３０には、両側のアーム３２、３２間に架設されたペーパー支持部材６０が連結されており、ペーパー支持部材６０は操作レバー３０の正面、つまり手前への前進、後退に伴って、往復運動を行う。ペーパー支持部材６０は、ペーパーロール１０の上部から手前側に引き出されたペーパー１１を下方からほぼほぼ水平に支持する水平な薄板であり、その前端部６１は、ペーパー１１の切断端縁部を三角形状に折り畳むために正面側へ三角形状に突出している。前端部６１の頂角は、ペーパー１１の切断端縁部の折り畳み角度に対応しており、ここでは１２０度程度に設定されている。
操作レバー３０に装備されたペーパー押圧部材７０は、アーム３２、３２間に回転自在に架設された支持軸７１の長手方向に取り付けられたローラ７２、７２とを有する。ローラ７２、７２は、ペーパー支持部材６０の上面に当接しており、かつこの状態から上方へ退避することができるように昇降可能である。この昇降のために、支持軸７１は、アーム３２、３２の各内面に設けられた長孔７３、７３に嵌合している。
そして、ローラ７２、７２は、操作レバー３０のグリップ３１を手で握ったときにその手で下方に押圧されるようになっており、ペーパー支持部材６０上のペーパー１１をペーパー支持部材６０に押し付け、ペーパー１１がペーパー支持部材６０に対して滑るのを抑制する。手が操作レバー３０を放すと、操作レバー３０は原位置に戻り、このときローラ７２、７２の支持軸７１は長孔７３、７３を退避する。したがって、ペーパー支持部材６０が原位置に戻るときには、ペーパー支持部材６０だけが戻り、ペーパー１１は引っ張り込まれない。
ペーパーカッタ４０は、刃を下に向けてホルダ本体２０の側板２１、２１の双方の上端部間に架設されている。このペーパーカッタ４０は、操作レバー３０に取り付けられたペーパー支持部材６０よりも更に手前側に所定の隙間をあけて配置されている。操作レバー３０を手前側に傾倒操作したときは、ペーパーカッタ４０の下方をペーパー支持部材６０とその上のペーパー１１が通過するように構成されている。ペーパー支持部材６０の正面側に所定の隙間をあけてペーパーカッタ４０を配置することによって、ペーパー１１をペーパーカッタ４０で切断したときには、図８（ａ）に示すように、その切断端縁部１２はペーパー支持部材６０の前縁部６１（より厳密には中央の先端部）から確実に下方に垂れ下がる。
摩擦部材５０は、ペーパーカッタ４０に沿うようにホルダ本体２０の側板２１、２１間に設けられたほぼ水平な樹脂棒であり、操作レバー３０を手前側へ傾倒操作したときに摩擦部材５０の上側を、ペーパー支持部材６０が接触しつつ通過するように、ペーパーカッタ４０の正面側、つまり手前側で下側に変位して配置されている。
摩擦部材５０は、手前から見て左側に位置する第１のバー部材５０Ａと右側に位置する第２のバー部材５０Ｂとから構成されている。左側の側板２１の内面にほぼ水平に片持ちで支持される第１のバー部材５０Ａは、図６（ａ）〜（ｅ）に示すように、基端部が取り付け部５１Ａ、先端部が平面部を有する作用部５２Ａになっている。右側の側板２１の内面にほぼ水平に片持ちで支持される第２のバー部材５０Ｂは、図７（ａ）〜（ｅ）に示すように、基端部が取り付け部５１Ｂ、先端部が平面部を有する作用部５２Ｂになっている。
双方のバー部材５０Ａと５０Ｂとは、側板２１、２１間の中央部で先端の作用部５２Ａ、５２Ｂ同士が隙間５０Ｃを空けて突き合わされるように組み合わされており、より詳しくは、突き合わせ部の作用部５２Ａの傾斜（図６（ｂ））と作用部５２Ｂの傾斜（図７（ｂ））とがＶ状凹部５３（図２）を形成すると共に、双方のバー部材５０Ａと５０Ｂの突き合わせ部がＶ状凹部５３に続く隙間５０Ｃを形成し、かつ作用部５２Ａ、５２Ｂの各平面部が斜め上方向を向くように構成されている。
これによって、操作レバー３０を正面側へ傾倒操作したときに、ペーパー支持部材６０の三角形状の前端部６１がその前進に伴ってＶ状凹部５３に挿入されると共に、作用部５２Ａ、５２Ｂの各平面部に当接しながら手前に前進する。しかも、この摩擦部材５０を構成する双方のバー部材５０Ａと５０Ｂとは、それら基端部の取り付け部５１Ａ、５１Ｂがスプリングによる付勢力に抗して手前側に若干回転できるように弾性的に取り付けられている。
次に、第１の実施例であるペーパーホルダ１の機能について、図８（ａ）〜（ｃ）を参照して説明する。
ペーパーロール１０をホルダ本体２０にセットするとき、ペーパー１１をペーパーロール１０の上部からペーパー支持部材６０の上面に沿って手前側に引き出す。より詳しくは、ペーパー１１はペーパー支持部材６０とペーパー押圧部材７０との間を通り、ペーパー支持部材６０の上方を経由して、最終的にペーパーカッタ４０と摩擦部材５０との間からホルダ本体２０の正面側、つまり手前側に引き出される。ホルダ本体２０の手前側に引き出されたペーパー１１をペーパーカッタ４０で切断した状態が図８（ａ）である。ペーパー１１の切断端縁部１２は、ペーパー支持部材６０の三角形状をした前端部６１の中央先端部分から下方へ垂れ下がる。
ペーパー支持部材６０の三角形状をした前端部６１が摩擦部材５０上に前進するとき、その前端部６１が摩擦部材５０に摺接する。詳しくは、ペーパー支持部材６０の三角形状をした前端部６１がＶ状凹部５３へ背面側（手前の反対側）から進入し、バー部材５０Ａと５０Ｂの作用部５２Ａと５２Ｂの各平面部に摺接する。ここで、Ｖ状凹部５３は、バー部材５０Ｂの作用部５２Ｂの傾斜がバー部材５０Ａの作用部５２Ａの傾斜に比べて緩やかで、背が高くなっている。つまり、ペーパー１１の進行方向に作用部５２Ｂの方が突き出ているので、ペーパー支持部材６０の前端部６１がＶ状凹部５３の一方の辺に先に当たり、次いで他方の辺に当たる。
これによって、ペーパー支持部材６０の三角形状の前端部６１の中央先端部分から下方に垂れ下がったペーパー１１の切断端縁部１２が、摩擦部材５０によって、ペーパー支持部材６０の前端部６１に沿って裏側に順に折り込まれる。更に詳しく説明すると、ペーパー支持部材６０の前進に伴って、その三角形状の前端部６１から垂れ下がっているペーパー１１の切断端縁部１２は、摩擦部材５０のＶ状凹部５３を形成する辺に沿って引き上げられながらＶ状凹部５３の手前側に移動し、更にその一部分は隙間５０Ｃに移動する。これによって、ペーパー１１の切断端縁部１２は狭められるので、ペーパー支持部材６０の前端部６１で折り返されたペーパー１１は、ペーパー支持部材６０の三角形状の前端部６１の形状と同じ三角形状に折り畳まれる。そして、この折り畳みの過程で、ペーパー１１とペーパー支持部材６０との摩擦、更にはペーパー１１と摩擦部材５０との摩擦があるために、ペーパー支持部材６０の前進に伴い、ペーパー１１はペーパーロール１０からも引き出される。したがって、ペーパー１１の三角形状に折り畳まれた先端部分をホルダ本体２０の手前側に突出させることができる。
この際、前述したように、Ｖ状凹部５３は、バー部材５０Ｂの作用部５２Ｂがバー部材５０Ａの作用部５２Ａに比べて、ペーパー１１の進行方向に作用部５２Ｂの方が突き出ているので、ペーパー１１の切断端縁部１２は僅かなタイミングで、先に作用部５２Ｂ側から折られ、直ぐ次ぎに作用部５２Ａ側が折られる。この僅かなタイミングのずれが、ペーパー１１の切断端縁部１２を形の良い三角形状に折り畳むことになる。かくして、ペーパー１１の切断端縁部１２が三角形状に折り畳まれて、ホルダ本体２０の手前に突出する（図２）。
このとき、摩擦部材５０を構成するバー部材５０Ａ、５０Ｂはホルダ本体２０の側板２１、２１に片持ちで支持されており、容易に撓む。加えて、スプリング力に抗して正面側へ若干回転する。これらによって、摩擦部材５０は、ペーパー支持部材６０の前端部６１に弾性的に押し付けられ、ペーパー１１の切断端縁部１２の折り畳みをスムーズに行う。
操作レバー３０を限界まで傾倒操作した後は、手を離して操作レバー３０とペーパー押圧部材７０とに付加されている外力を除去する。スプリング３４の弾性力によって、操作レバー３０はペーパー支持部材６０とペーパー押圧部材７０と共に原位置に自動復帰する。
このとき、ペーパー押圧部材７０が、回転し易いローラであるために、ペーパー１１の切断端縁部１２は引き戻されることなく、切断された位置に残る。この状態が図８（ｃ）である。
三角形状に折り畳まれてホルダ本体２０の手前側に突出したペーパー１１の切断端縁部１２は引き出し易く、見栄えも良い。この切断端縁部１２を引っ張り、ペーパー１１を所要長引き出した後、ペーパーカッタ４０でペーパー１１を切断する。これによって、図８（ａ）の状態に戻り、ペーパー１１の切断端縁部１２は、再びペーパー支持部材６０の三角形状をした前縁部６１の中央先端部分から下方へ垂れ下がる。
ペーパー１１を使用するたびに操作レバー３０を手前側へ傾倒操作すれば、ペーパー１１の切断端縁部１２が三角形状に折り畳まれてホルダ本体２０の手前側へ突出する。モータを使用しないばかりか、操作レバー３０を手前に引くだけの動作（１往復動作）で、ペーパー１１の切断端縁部１２の送り出しと折り畳みとの双方を行うので、構造が簡単である。
新しいペーパーロール１０をペーパーホルダ２０へセットしたときには、ペーパー端部をペーパー支持部材６０とペーパー押圧部材７０との間に通し、ペーパー支持部材６０の上方を経由して、ペーパーカッタ４０と摩擦部材５０との間からホルダ本体２０の手前側に引き出す操作が必要であるが、ペーパー押圧部材７０が上方に退避し、ペーパー支持部材６０とペーパー押圧部材７０との間が大きく開くので、この操作が簡単である。使用済みのペーパーロール１０を上方へ排出するときは、操作レバー３０を手前側に倒しておく（図８（ｂ）参照）。これにより上方が大きく開き、排出操作が簡単になる。
【実施例２】  次に、本発明の第２の実施例であるペーパーホルダ１００について説明する。図９は、ペーパーホルダ１００の斜視図、図１０（ａ）〜（ｃ）は、ペーパーホルダ１００のペーパーの折り畳み動作を説明するための図、図１１（ａ）〜（ｃ）は、その動作のタイミングを示す図、図１２と図１３は、操作レバー側の側板が外され、操作レバーが原位置、つまり最も手前の位置にある状態を示す図、図１４（ａ）〜（ｃ）は、操作レバーの動作に関連するカム、アーム部材、ペーパー垂下部材の動作を説明するための図、図１５は、ペーパーホルダ１００に使用されている摩擦部材の３面図である。
第１の実施例であるペーパーホルダ１に比べて、第２の実施例であるペーパーホルダ１００が異なる主な点は、操作レバー１３０の動作に連動させて、先ずペーパー垂下部材１８０を下降運動させることによって、ペーパー支持部材１６０の３角形状の前端部から確実にペーパー１１１を垂れ下がらせ、直ぐにペーパー垂下部材１８０を元の位置に上昇させ、その後でペーパー支持部材１６０を正面、つまり手前に前進させるところにある（図１０参照）。
別の異なる点として、ペーパーの折り畳みを確実なものにするために、摩擦部材１５０の上面におけるペーパーとの摩擦抵抗を大きくしたことである。この摩擦抵抗を大きくするために、好ましくは弾性体１５５、１５７を摩擦部材１５０の上面に備えた点にある（図１５参照）。弾性体１５５、１５７としては、スプリングや皿バネ、ゴムなどを使用したものを用いたり、あるいは塗布面に弾力性を与えて摩擦抵抗を大きくする特殊塗料を摩擦部材１５０の上面に塗布する。
また、摩擦部材１５０は単一の構造からなり、中央部に設けたＶ状凹部１５３に続くペーパー絞込み凹部１５４を備える。このペーパー絞込み凹部１５４は、ペーパーホルダ１の間隙５０Ｃに相当するものであって、Ｖ状凹部１５３の底部（手前側）から延びており、ペーパーの切断端縁部が安定して三角形状に折り畳まれるように、ペーパーの切断端縁部をペーパー絞込み凹部１５４に移動させることによって、その領域に絞り込む。
更に、トイレットペーパーの減り具合によってペーパーロール１１０から供給されるペーパーとペーパー支持部材１６０との角度が変わらないように、棒状のペーパー角度均一化部材１９０をペーパーロール１１０とペーパー支持部材１６０との間に設け、ペーパーをペーパーロール１１０からペーパー角度均一化部材１９０を通してペーパー支持部材１６０に供給する点である（図９参照）。
また更に、ペーパー押圧部材１７０をカバー部材２１０の裏側に設け、このカバー部材を正規に閉じた状態では、ペーパー押圧部材１７０は軽くペーパー支持部材１６０を押圧するようになっている。この構造では、ペーパー押圧部材１７０は所定の小さな加圧力で、ペーパー１１１をペーパー支持板１６０に確実に押し付ける（図９、図１０参照）点などが実施例１と異なる。その他の異なる部分については、ペーパーホルダ１００の説明の中で明らかにする。
先ず、主な相違点であるペーパー垂下部材１８０について説明すると、図９に示すように、ペーパー垂下部材１８０は側板１２１、１２１の内壁側に渡って設けられ、後述するように、片持ちで支承される。先ず、図１０と図１１とによって、かかるペーパー垂下部材１８０とペーパー支持部材１６０との動きの関係について説明し、次にこれらの機構について説明する。
図１０（ａ）は、単一のアーム１３２を有する操作レバー１３０（図９）が操作前の原位置ある状態を示し、ペーパー１１１はカバー部材２１０の先端部分の下部に取り付けられたペーパーカッタ１４０によって切断されて、その切断端縁部が摩擦部材１５０上にある。この位置では、棒状のペーパー垂下部材１８０は必ずペーパー１１１よりも上方に位置する。
図１１の時刻ｔ１で、操作レバー１３０を正面、つまり手前（図では左方向）に傾倒動作させると、その傾倒動作の開始の直後の時刻ｔ２で、ペーパー垂下部材１８０が下降運動して、ペーパー１１１の切断端縁部を図１０（ｂ）に示すように、実施例１のものと同様な形状のペーパー支持部材１６０の前端部から垂れ下がらせる。操作レバー１３０の連続的な傾倒動作によって、ペーパー垂下部材１８０は上昇して直ぐに元の位置に戻る（時刻ｔ３）。ペーパー垂下部材１８０の動作は、下降と上昇との一対で一つの動作を構成する。その後の時刻ｔ４で、ペーパー支持部材１６０が正面、つまり手前に前進し始める。ペーパー支持部材１６０の三角形状の前端部はその前に垂れ下がっているペーパー１１１の切断端縁部分に係合するから、ペーパー支持部材１６０の前進は、ペーパー１１１をペーパーロールから引き出しながら行われ、ペーパー１１１の前端部分をペーパー支持部材１６０の裏面と摩擦部材１５０との間に挟み込んで更に前進し、カバー２１０の先端よりも所定長さだけ突出した位置で停止する（時刻ｔ５）。
次に、操作レバー１３０が逆方向に動作、つまり後退することによって、ペーパー支持部材１６０だけが後退（図面右方向）し、後述するようにペーパー１１１の先端部分は図１０（ｃ）に示すように折り畳まれた状態で残る。ペーパー支持部材１６０の前端部は、実施例１と同様に、三角形状の構造になっており、後述するように、摩擦部材１５０がペーパー支持部材１６０の三角形状の前端部と協働して、ペーパー１１１の前端部分を三角形状に折り畳み、カバー部材２１０の先端から三角形状のペーパーを突出させる。このときの操作レバー１３０、ペーパー垂下部材１８０、ペーパー支持部材１６０それぞれの動作タイミングは、前述から明らかなように図１１（ａ）〜（ｃ）に示すようになる。この動作タイミングは重要である。
次に、前述のように動作を行う機構について説明する。図１２、図１３は操作レバー１３０側の側板１２１を外し、内側壁１２２に取り付けられた各部材を示している。図１２は操作レバー１３０を放した自由な状態、図１３は操作レバー１３０を正面、つまり手前（図面左側）へいっぱいに傾倒動作させた状態を示す。
図１２、図１３に示す主な部材は、操作レバー１３０と、操作レバー１３０に係合して運動することにより、ペーパー支持板１６０を図面の左右方向に移動させる補助レバー２２０と、操作レバー１３０に係合して回転運動するカム２３０と、カム２３０に係合して運動するアーム部材２４０と、その先端部分に一端が固定されて、支承されているペーパー垂下部材１８０とである。
つまり、ペーパー垂下部材１８０は片持ちでアーム部材２４０により支承されている。操作レバー１３０は紙面の一番表側にあり、カム２３０は最も内側壁１２２側に位置し、補助レバー２２０は操作レバー１３０とカム２３０との中間のレベルに位置する。
内側壁１２２は、横方向の長孔１２３、縦方向の長孔１２４を有する。後述によって明らかになるが、横方向の長孔１２３は補助レバー２２０がペーパー支持板１６０を図面の左右方向に移動させるのに必要であり、縦方向の長孔１２４はペーパー垂下部材１８０を上下運動させるのに必要である。
操作レバー１３０と補助レバー２２０とは、同一の回転軸部１３３によってある範囲の角度で回転できるよう内側壁１２２に取り付けられている。回転軸部１３３における操作レバー１３０と補助レバー２２０との間にはスプリング１３４が介在しており、スプリング１３４の一端は係止部材１３５に係止され、その他端は操作レバー１３０に係止されている（図示せず）。
操作レバー１３０はアーム１３２の途中でくの字状に曲がっており、その部分に紙面の裏方向（内側壁１２２方向）に突出する突起部１３６を有する。この突起部１３６は、操作レバー１３０を傾倒操作するとき、途中で補助レバー２２０の係合箇所Ａに係合して一緒に補助レバー２２０を運動させるものである。
また、操作レバー１３０は、紙面の裏方向（内側壁１２２方向）に突出するカム係合部１３７を有する。このカム係合部１３７は、補助レバー２２０の窓部２２１を通してカム２３０の第１の係合部２３２に係合して、支点２３１を中心にしてカム２３０を回転させる。ここで、操作レバー１３０は単一のアーム１３２からなり、グリップ１３１は球状となっているところがペーパーホルダ１の操作レバー３０と異なる。
補助レバー２２０は途中でくの字状に曲がっており、所定の大きさの窓部２２１を有する。補助レバー２２０の係止部２２２は、スプリング２２３によって内側壁１２２の固定部１２５に結合されている。また、補助レバー２２０はその上部２４４でペーパー支持板１６０を片持ち形態で支承している。操作レバー１３０の傾倒操作に伴い、その操作の途中で操作レバー１３０の突起部１３６が係合箇所Ａに係合するとき、同時にカム係合部１３７が窓部２２１の一辺の係合箇所Ｂに係合するように構成されている。これは、２箇所に力を分散することによって、１箇所に負荷がかかるのを防ぎ、信頼性を高めるためである。
実施例２において補助レバー２２０を用いたのは、ペーパー垂下部材１８０の動作とペーパー支持部材１６０の動作との間に、前述の動作タイミングを与えるためである。つまり、補助レバー２２０は、時間差を持って、先ずペーパー垂下部材１８０が下降動作と上昇動作とを行い、その終了後に、ペーパー支持部材１６０を移動させるための時間差移動機構を与える。
カム２３０は、図１４にも示すように、支点２３１、操作レバー１３０のカム係合部１３６に係合する第１の係合部２３２、アーム部材２４０に係合する第２の係合部２３３、係止部２３４からなる。係止部２３４にはスプリング２３５の一端が結合され、スプリング２３５の他端は内側壁１２２の固定部１２５に結合されている。カム２３０は、操作レバー１３０のカム係合部１３６からの力を受けて、支点２３１を中心に時計方向に回転する。
アーム部材２４０は、くの字状の第１のアーム部２４１と、第１のアーム部２４１と一体的に形成されている第２のアーム部２４２と、支点２４３とからなる。第１のアーム部２４１の先端部分にはペーパー垂下部材１８０の一端が固定されている。ペーパー垂下部材１８０はアーム部材２４０によって片持ちで支承され、他方の側板方向（紙面裏方向）に延びている。そして、アーム部材２４０の先端部分はスプリング部材２４５の一端に結合され、スプリング部材２４５の他端は内側壁１２２の固定部１２６に固定されている（図１２）。
摩擦部材１５０は、図１５に示すように、ペーパー１１１を迎える側のほぼ中央にＶ状凹部１５３とこれに続くペーパー絞込み凹部１５４とを有する単体の部材からなり、手前に斜め下がりで傾斜するように側板１２１、１２１の内側壁１２２に固定されている。Ｖ状凹部１５３は、基本的には実施例１のペーパーホルダ１のＶ状凹部５３と同様であり、ペーパー支持部材１６０の三角形状の前端部に適合する三角形状の２辺を形成する辺１５３Ａ、１５３Ｂを有する。なお、ペーパー絞込み凹部１５４の働きを説明する上で、Ｖ状凹部１５３とペーパー絞込み凹部１５４とを分けたが、ペーパー絞込み凹部１５４はＶ状凹部１５３の一部分と考えてよい。
ペーパーホルダ１の間隙５０Ｃに対応するペーパー絞込み凹部１５４がＶ状凹部１５３の底部（手前側）から延びている。このペーパー絞込み凹部１５４は、ペーパーの折り畳み動作が行われているとき、ペーパー１１１の切断端縁部が広がらないように、ペーパー１１１の切断端縁部をある狭い領域に絞り込む働きを行う。後述するが、このペーパー絞込み凹部１５４の働きによって、ペーパー１１１はペーパー支持部材１６０の前端部の三角形状と同じ三角形状に安定して折り畳まれる。
また、摩擦部材１５０は、Ｖ状凹部１５３の両側の上面から突出する弾性体１５５、１５７を備える。これら弾性体１５５、１５７は複数の薄型のスプリングを組み合わせたもの、又は板バネや皿バネ、あるいはゴム、又は弾力性に富む合成樹脂材料などからなる。さらに、摩擦部材１５０の上面に特殊塗料を塗布して弾力性を付与したり、表面がザラザラ感をもつテープなどを摩擦部材１５０の上面に貼着しても良い。
弾性体１５５、１５７は、ペーパー１１１を迎える側から送り出す側に高くなるような傾斜となっているのが好ましい。弾性体１５５、１５７がこのような傾斜を有することによって、図１０（ｃ）に示すように、ペーパー支持部材１６０がペーパー１１１を介して摩擦部材１５０に接触するとき、ペーパー支持部材１６０の下面がその弾性体１５５、１５７の上面全体をペーパー１１１を介してある力で加圧することになり、ペーパー１１１がペーパー支持部材１６０の下面と弾性体１５５、１５７の上面との間で押さえ、ペーパー１１１の先端部を確実に三角形状に折り畳めるように作用すると同時に、ペーパーロール１１０からペーパー１１１を引き出すように作用する。なお、摩擦部材５０も前述のような弾性体を備えたり、特殊塗料が塗布されても勿論よい。
図９に示すように、単一の棒状のペーパー角度均一化部材１９０が双方の側板１２１、１２１の内側壁１２２に渡って備えられている。ペーパーロール１１０からのペーパー１１１は、カバー部材２１０の裏面とペーパー角度均一化部材１９０との間から引き出され、ペーパー角度均一化部材１９０の上からペーパー支持部材１６０面上に引き出されるので、ペーパーの使用の程度によってペーパーロール１１０の径の大小にかかわらず、ペーパーがペーパー支持部材１６０面上に供給される角度は均一になる。
このことは、特に、ペーパーが終わりに近く、ペーパーロール１１０の径が小さいときには、ペーパーが丸まっているので、ペーパー押圧部材１７０がペーパー１１１をペーパー支持部材１６０面上に押さえるときに有効である。
次にこれら図面によって操作レバー１３０の傾倒操作に伴う関連各部の動作について説明する。
図１１で示すように、時刻ｔ１で操作レバー１３０が正面、つまり手前（図面左側方向）に傾倒動作を開始すると、直ぐに時刻ｔ２で操作レバー１３０のカム係合部１３６がカム２３０の第１の係合部２３２に係合して、カム２３０を支点２３１を中心にして時計方向に回転させる。これについては、図１４によって説明する。
操作レバー１３０の前進に伴い、そのカム係合部１３７からの力を受けて、カム２３０の第２の係合部２３３がアーム部材２４０の第２のアーム部２４２をその支点２４３を中心に反時計方向に回転させ、ペーパー垂下部材１８０を支承しているくの字状のアーム部２４１の先端を、スプリング部材２４５を伸張させながら縦方向の長孔１２４を通して降下させる（１４図（ｂ）、（ｃ））。この動作によって、ペーパー垂下部材１８０は下降し、ペーパー１１１の切断端縁部をペーパー支持部材１６０の先端から垂れ下がらせる。
そして、操作レバー１３０のカム係合部１３６が更に前進し、カム２３０の第１の係合部２３２から外れると、伸長状態にあるスプリング２３５の引張力によって、時刻ｔ３でカム２３０は図１４（ａ）に示す元の状態に戻り、これに伴いスプリング部材２４５の引っ張り力でくの字状のアーム部２４１の先端が上昇するから、ペーパー垂下部材１８０も上昇して元の上側の位置に戻る。ここで、操作レバー１３０のカム係合部１３７がカム２３０の第１の係合部２３２から外れる寸前において、ペーパー垂下部材１８０は最も低い位置にある。
操作レバー１３０を更に手前に傾倒すると、時刻ｔ４において、操作レバー１３０の突起部１３６、カム係合部１３７がそれぞれ補助アーム２２０の係合箇所Ａ、Ｂに係合する。この係合によって、補助アーム２２０は操作レバー１３０の傾倒動作と一緒に傾倒動作を行う。これに伴い、補助アーム２２０の上部に片持ち支持されたペーパー支持部材１６０は手前（図面左側方向）に前進する。
ペーパー支持部材１６０の三角形状の前端部が摩擦部材１５０の弾性体１５５と１５７との間を前進するのに伴って、ペーパー支持部材１６０の三角形状の前端部から垂れ下がっているペーパー１１１の切断端縁部は、摩擦部材１５０のＶ状凹部１５３を形成する辺１５３Ａ、１５３Ｂに沿って引き上げられながらＶ状凹部１５３の手前側（底部側）に移動し、更にペーパー絞込み凹部１５４に移動する。これによって、ペーパー１１１の切断端縁部はペーパー絞込み凹部１５４内に集められ、絞り込まれるので、ペーパー支持部材１６０の前端部で折り返されたペーパー１１１は、ペーパー支持部材１６０の三角形状の前端部の形状と同じ三角形状に折り畳まれる。
そして、ペーパー支持部材１６０が更に前進し、ペーパー支持部材１６０の下面が折り込まれたペーパー１１１を介して摩擦部材１５０の弾性体１５５と１５７とに接触すると、ペーパー支持部材１６０の下面に折り込まれたペーパー１１１は、ペーパー支持部材１６０と弾性体１５５と１５７とによって挟まれるので、ほとんど移動しなくなる。この後は、ペーパー支持部材１６０の前進に伴い、ペーパー１１１はペーパーロール１１０から引き出される。したがって、ペーパー１１１の三角形状に折り畳まれた先端部分をカバー部材２１０の手前側に突出させることができる。
時刻ｔ５で、操作レバー１３０とペーパー支持部材１６０とは最も手前の位置にあり、ペーパー支持部材１６０の三角形状の前端部の形状とほぼ同じ三角形状に折り畳まれた折り畳み部分をカバー部材２１０から突出させる。
次に、手をグリップ１３１から放すことによって、操作レバー１３０を開放すると、操作レバー１３０はスプリング１３４の作用で元の位置に戻り（時刻ｔ７）、同様に補助レバー２２０もスプリング２２３の働きによって元の位置に戻る。これに伴い、ペーパー支持部材１６０も後退（図面右側方向）して元の位置に戻る（ｔ６）。つまり、時刻ｔ７では全ての部材が原位置に戻る。
ここで、ペーパー支持部材１６０はペーパー１１１との摩擦抵抗が小さくなるように滑り易い材質と構造からなっているので、ペーパー支持部材１６０が後退するとき、折り畳まれた部分のペーパー１１１がペーパー支持部材１６０と一緒に後退することはない。このようにして、切断端縁部が三角形状に折り畳まれたペーパーを安定かつ確実に得ることができる。
この実施例のカバー部材２１０は、双方の側面に裏側方向に突出するバネ部２１１（図９）を有する。このバネ部２１１は、カバー部材２１０を閉じたとき、双方の側板１２１の内側壁１２２を所定の力で押圧するように、側面方向に幾分突出するバネ構造になっている。これによって、ペーパー押圧部材１７０が安定した所定の力でペーパー１１１をペーパー支持部材１６０に押し付けることになる。更に好ましくは、トイレットペーパーをカバー部材２１０の先端部に設けたペーパーカッタ１４０で切断するときに、他方の手でカバー部材２１０を押さえなくとも、カバー部材２１０が開かない程度の押圧力を生じると、片手で操作できるので、便利であると同時に、ペーパー１１１の切断端縁部分の形状が一様になり易く、ペーパーの所定の折り畳み効果を得ることができる。また、カバー部材２１０は一般のペーパーホルダと同様に、軸承によって開閉されるようになっており、その軸承部分に不図示の凸部又は凹部を設け、その凸部又は凹部が側壁、あるいは下方から延びる不図示の係合部に係合する構造でも良い。このようにすることによって、カバー部材２１０を一定位置に安定に閉じることができる。
なお、第２の実施例では、ペーパー角度均一化部材１９０を単一の棒状のものとしたが、双方の側板１２１、１２１のそれぞれの内側壁１２２から延びる一対の棒状のものでもよく、あるいはトイレットペーパーロールをペーパーホルダにセットし、トイレットペーパーをカバー２１０とペーパー角度均一化部材１９０との間から引き出すとき、引き出しやすいように、ペーパー角度均一化部材１９０が上側に、又は手前側に倒れるようになっているものでもよい。また、双方の側板１２１、１２１の内側壁１２２に形成された手前側に伸びる長孔（図示せず）にペーパー角度均一化部材１９０の両端を支承させる。このようにすれば、トイレットペーパーロールの交換時に、ペーパー角度均一化部材１９０を長孔によって手前に移動させことができ、カバー部材２１０とペーパー角度均一化部材１９０との間が離れるので、ペーパーをカバー部材２１０の裏面とペーパー角度均一化部材１９０との間から引き出し易くなる。
また、ペーパー支持部材１６０は緩やかな曲線で湾曲しているのが好ましく、操作レバー１３０の傾倒動作に伴って、ペーパー支持部材１６０が緩やかな曲線で前進動作、後退動作を行い、このことが、ペーパーホルダ１００を安定に動作させる一助を担っている。実施例１におけるペーパー支持部材６０も緩やかな曲線で湾曲していても勿論よい。
以上の実施例では、操作レバーを手で手前に傾倒することによって、トイレットペーパーの先端部分を三角形状に折り畳んだが、一般にトイレットなどには商用電源の差込口が設けられているから、ステッピングモータのような電動モータを利用して、操作レバー１３０に相当するレバー（不図示）をある角度で回転動作させても良い。このときには、操作レバーのグリップに代えて側板１２１に押しボタン（不図示）を設け、その押しボタンを押すことにより電動モータが動作し、この電動モータで操作される操作レバー（不図示）と補助レバー２２０とを前述のように動作させ、ペーパー垂下部材１８０の下降、上昇動作をさせる。
なお、この場合、図示しないが、不図示の電動モータの回転軸に２重のカム機構を直結し、モータが１回転するごとに先ず不図示の第１のカムでアーム部材２４０が動作して、ペーパー垂下部材１８０が下降運動、上昇運動を行い、その後で不図示の第２のカムでペーパー支持部材１６０の補助レバーを直接傾倒動作させるような構造にすることもできる。
また、ペーパー垂下部材１８０の下降運動、上昇運動は、ペーパー支持部材１６０が前進運動を行うまでの短時間で完了しなければならないので、アーム部材２４０のスプリング部材２４５、カム２３０を引っ張っているスプリング２３５の引っ張り力は比較的大きい。このために、操作レバー１３０のカム係合部１３７がカム２３０の第１の係合部２３２から外れるときに、カム２３０とアーム部材２４０が高速で元の位置に戻るから、騒音が発生したり、寿命を低下させることがある。これを防止するため、カム２３０とアーム部材２４０との接触する部分、あるいは図示しないが、必要によってアーム部材２４０の動作を制限するために内側壁１２２から突出するストッパ部分などに、ゴム又は柔軟性のある合成樹脂などからなる緩衝材（不図示）を設けるのが好ましい。
更にまた、本発明におけるＶ状凹部は、ペーパーを迎える入口側（背面側）が底部側（手前側）よりも幅が広ければよく、Ｖ状を形成する辺は弧状でも良い。そして、Ｖ状凹部の底部側（手前側）に続く間隙５０Ｃ又はペーパー拘束凹部１５４がペーパーの切断端縁部分を、動作に差し障りがない程度に絞り込んで拘束すれば、ペーパー支持部材１６０の三角形状の前端部とほぼ同じ形の形状に折り畳むことができる。間隙５０Ｃ又はペーパー拘束凹部１５４をＶ状凹部の一部分としても勿論よい。
また、以上の実施例において、操作レバー３０、１３０と補助レバー２２０の形状はいろいろなものが考えられ、実施例のような形状、構造に限定されるものではない。例えば、操作レバーはダイヤル式のようなものでもよく、そのダイヤルとなる円板を回転させることによって、ペーパー支持部材１６０が前進、後退したり、補助レバーを含む前記時間差移動機構を動作させる構造でも勿論よい。また、グリップ１３１は側板の横方向に突出していてもよい。さらに、補助レバー２２０はＳ字状であっても良い。また、操作レバー１３０と補助レバー２２０は２箇所で係合したが、１箇所でも３箇所以上でも勿論よい。
更にまた、以上の実施例ではペーパー支持部材の上でペーパーを支持したが、ペーパーが自由に通過できる間隔、例えば数ｍｍの間隔で向き合う前述のような形状の２枚の板状体を組み合わせたもの、あるいはペーパー支持部材の下側で支持するように、ペーパーの進行方向に直角な両側から支持するような構造でもよい。この場合には、ペーパー支持部材自体がペーパーのガイドを行い、ペーパー押圧部材の作用も行うので、ペーパー押圧部材を省略することができる。この場合、２枚の板状体が開くようになっていれば、ペーパーロールの交換時にペーパーをペーパー支持部材中を通すのに便利である。
以上の実施例では、ペーパー支持部材６０、１６０の前端部全体を三角形状にするため、前端縁をすべて傾斜にしたが、前端縁の両側部分は三角形状になっていなくてもよい。この理由は、三角形状に折り畳まれたペーパーの切断端縁部で露出されるのは、高々２ｃｍ程度であるから、ペーパー支持部材６０、１６０の前端部の中央部分が三角形状になっていれば、ペーパーホルダから露出するペーパー部分を三角形状にすることが可能である。
なお、以上の実施例ではトイレットペーパーについて述べたが、ペーパータオルのペーパーロール、調理用ペーパーのペーパーロールについても同様に実施することができる。
本発明によれば、簡単な構造でペーパーの切断端縁部を確実に三角形状に折り畳めるペーパーホルダを提供することができる。
【図１】
2004086926.tif 000003
【図２】
2004086926.tif 000004
【図３】
2004086926.tif 000005
【図４】
2004086926.tif 000006
【図５】
2004086926.tif 000007
【図６】
2004086926.tif 000008
【図７】
2004086926.tif 000009
【図８】
2004086926.tif 000010
【図９】
2004086926.tif 000011
【図１０】
2004086926.tif 000012
【図１１】
2004086926.tif 000013
【図１２】
2004086926.tif 000014
【図１３】
2004086926.tif 000015
【図１４】
2004086926.tif 000016
【図１５】
2004086926.tif 000017
【国際調査報告】
2004086926.tif 000018
2004086926.tif 000019
2004086926.tif 000020
2004086926.tif 000021